(57)【要約】      （修正有）【課題】取り外し交換可能な曲仰角を兼ねた捻り工具を提供する。【解決手段】取り外し交換の出来る曲仰角を兼ねた捻り工具であり、その主には捻りスパナの前端を利用し、つなぎ合わせ部が形成され、つなぎ合わせ部の中につなぎ口部が形成される。つなぎ口部は異なる形状の可動スパナヘッドの接続に役に立つ、且つ可動スパナヘッドとつなぎ口部で位置付けした構造を通して、可動スパナヘッド接続の位置付け及び360度周り回転効果を提供する、このように、異なる作業の需要により、適切な可動スパナヘッドを換えて作業が出来る、また、該可動スパナヘッドを回させ、物体の角度に合わせ、ネジ部品の傾斜固定の対応が出来、スパナを回し、ネジ部品を物体へ傾斜設置にし難い状態が発生しないよう役に立つ、実に産業利用性を高く備えた考案特許である。【選択図】図１
0003116450.tif 000002
【実用新案登録請求の範囲】
【請求項１】
取り外し交換可能な曲仰角を兼ねた捻り工具、
主にスパナ本体を含み、
該スパナ本体のハンドル部に少なくとも片側につなぎ合わせ部が形成され、つなぎ合わせ部は可動スパナヘッドの取り外しがきく接続に供する、つなぎ合わせ部と可動スパナヘッドは位置付け構造を利用し回転式位置付けにより結合させたことを特徴とする交換可能な曲仰角を兼ねた捻り工具。
【請求項２】
前記取り外し交換可能な曲仰角を兼ねた捻り工具の該位置付け構造は、つなぎ合わせ部のリング凸状溝及び可動スパナヘッド延長部にあるリング凹状溝に設置するＣ字形位置付け部品であることを特徴とする請求項１記載の交換可能な曲仰角を兼ねた捻り工具。
【請求項３】
前記取り外し交換可能な曲仰角を兼ねた捻り工具は、つなぎ合わせ部とハンドル部が一体であることを特徴とする請求項１記載の交換可能な曲仰角を兼ねた捻り工具。
【請求項４】
前記取り外し交換可能な曲仰角を兼ねた捻り工具は、つなぎ合わせ部が横方向に貫通の軸とハンドル部を通して、上下揺れ動く方式の取り外しができることを特徴とする請求項１記載の交換可能な曲仰角を兼ねた捻り工具。
【請求項５】
前記取り外し交換可能な曲仰角を兼ねた捻り工具は、該位置付け構造はつなぎ合わせ部に形成された４個の位置付け穴のリング凸状溝、及び可動スパナヘッドの延長部に設置の固定位置を指すことを特徴とする請求項１記載の交換可能な曲仰角を兼ねた捻り工具。
【請求項６】
前記取り外し交換可能な曲仰角を兼ねた捻り工具固定位置にスプリング及びスチールボールを含むことを特徴とする請求項１記載の交換可能な曲仰角を兼ねた捻り工具。
【考案の詳細な説明】
【技術分野】
【０００１】
本考案は『可動スパナヘッド』に関する。特に仰角変化が可能、及び可動スパナヘッドを挿し込んでつなぐスパナ工具に係る。
【背景技術】
【０００２】
ここ数年のDIYブームは社会に浸透し、DIYがごく日常的な光景になるに連れて、手工具の技術も成熟し安定して来ている。これを受けて、手工具生産業界は一般の消費者でも簡単に且つ十分な効果を発揮しつつ使えるよう、使い易い、或いは人にやさしい機能を具えた手工具を次々に世に出している。
台湾特許公告第３３３１１２号「改良された開口スパナ追加一」は、ハンドル部の両端にスパナ可動部が形成され、そして、該スパナ可動部をにより、可動スパナの物体へネジ部品固定の効果を達成する。
しかし、この種の慣習の構造は、該スパナのスパナ可動部とハンドル部は角度が固定されており、作業場所の障害物或いは凸凹及び平坦で無い場所に合わせカーブ調整できない、その為平らな作業場所だけにしか使用できなく、使用上に不便な事をもたらす。
図１２，１３，１４に示すように、上記の欠陥を克服する為、業者がこの種の、スパナ可動ヘッドが曲げて折れる事が出来るのを具えたスパナ構造を提供するものである。その主には、スパナ本体(９０)のハンドル部（９１）と可動スパナヘッドの間、曲げて折れる事が出来る旋回軸の設置の関係が形成され、これにより、該可動スパナヘッド（９２）は角度調整の効果を具え、障害物のある作業環境に適応する。
しかし、公知のスパナ本体（90）は可動スパナヘッド（92）だけを設置可能で、交換機能を具えないため、その適用範囲には限界がある。すなわち異なるサイズ或いは異なる形状の可動スパナヘッドを使用するとするなら、別に新品を購入しなければならないため、経済的に無駄であり不便であった。
【考案の開示】
【考案が解決しようとする課題】
【０００３】
本考案の取り外し交換可能な曲仰角を兼ねた捻り工具（２）、その主は、公知のスパナ構造は可動スパナヘッドの回転・交換が出来ない等使用上多くの不便、欠陥を改善する為である。
【課題を解決するための手段】
【０００４】
上記課題を解決するため、本考案は捻りスパナの前端を利用し、つなぎ合わせ部が形成され、つなぎ合わせ部の中につなぎ口部が形成される、該つなぎ口は異なる形状の可動スパナヘッドのつなぎに具えられ、且つ可動スパナヘッドとつなぎ口部で位置付けした構造を通して、可動スパナヘッド接続の位置付け及び360度周り回転効果を提供する。
【考案の効果】
【０００５】
上記のように、異なる作業の需要により、適切な可動スパナヘッドを交換して作業ができ、また、該可動スパナヘッドを回転させ物体の角度に合わてネジ部品の傾斜固定の対応ができ、スパナを回しネジ部品を物体への傾斜設置にし難い状態が発生しないよう役に立つ、従って、本考案は実にかなり実用性及び向上性を持つ考案で、業界が普及並びに世間に公表するに値するものである。
【考案を実施するための最良の形態】
【０００６】
図１，２に示すように、本考案は主にスパナ本体（１）を含む：
スパナ本体（１）、該スパナ本体(１)は本実施例に於いては通常型スパナである。該スパナ本体(１)に使用者が握る為のハンドル部(１０)が形成され、ハンドル部(１０)に少なくとも片端にはつなぎ合わせ部(１２)がある。該つなぎ合わせ部 (１２)の中が空丸い形態を成し、且つ、ハンドル部(１0)と延長固定方式を取る、つなぎ合わせ部（１２）のもう片端の内側につなぎ口部（１２３）が形成され、該つなぎ口部(１２３)は各種異なる可動スパナヘッド(１４)の設置に供する。該つなぎ口(１２３)は、可動スパナヘッド(１４)のつなぎを安定させ及び３６０度周り回し効果を提供の為、つなぎ口部(１２３)に設置個所に関わる位置付け構造がある。本実施例の位置付け構造は、つなぎ口部(１２３)の内側面の外向けにくぼんだリング凸状の溝(１２４)及び可動スパナヘッド(１４)につなぎ設置の延長部(１４１)リング凹状の溝(１４２)内のＣ字型位置付けパーツ(１２５)を指す。可動スパナヘッド(１４)は、つなぎ口部の形に合わせた延長部(１４１)を利用し、つなぎ口部(１２３)に挿し込んだ時、リング凹状の溝にＣ字型位置付けパ−ツのはめ込みとつなぎ口部のリング凸状のみぞを通して、３６０度円周回しの位置付け関係になり、可動スパナヘッド(１４)の作動時、容易にゆるんで外れる状態が無いようになる。
【０００７】
本考案は使用時、使用者が作業環境の需要により可動スパナヘッド(１４)接続の選択が出来る、或いは、図３に示すＤ字型両方向左右回し可動スパナヘッド(１４ａ)、図４に示す閉じ式片方向回し可動スパナヘッド（１４ｂ）、さらには図５に示す取り外しのきくスパナヘッド(１４ｃ)の使用も出来る、スパナヘッドの取り外し交換が出来る設計により、異なる環境の需要に対応し、多目的用途の効果を発揮する。
【０００８】
更に図６,７が示すように、本考案は取り外し交換の出来るスパナヘッドの設計になっている、スパナヘッドとつなぎ口部は位置付け構造を利用し結合させ、故に、可動スパナヘッド(１４)は該位置付け構造を通して軸心を固定させ、３６０度回転となる、異なる傾斜角度のネジ締めの物体固定についてと言えば、可動スパナヘッド(１４)を直接取り替える事により、物体の角度に合わせ、傾斜ネジ固定に対応する、以前の構造のように、傾斜設置後、ハンドルと握る角度に不都合な状況をもたらす事は無い。
【０００９】
図８から９に示すように、本考案の第２実施例である、該実施例と上述実施例は位置付け構造、実施形態のみ異なる、同じ構造の名称・記号を用いられ、下記は相違個所のみについての説明：
該実施例の位置付け構造は、つなぎ口部(１２３)の内側面に半円形の位置付け穴(２１)４個を具えたリング凸状の溝（１２４a）、及び可動スパナヘッド(１４)に設けられ延長部(１４１)の固定位置を指す、該固定位置にはスプリング(３１)、スチール・ボール (３２)が含まれる、可動スパナヘッドをつなぎ合わせ部のつなぎ口部(１２３)へ装着時に役に立つ、固定位置にやや突出したスチール・ボール（３２）を通して、リング凸状の溝(１２４a)に沿って周り回転し、そのうえ、リング凸状の溝（１２４a）に有る４個の位置付け穴を通して、可動スパナヘッド(1４)の回転角度固定の位置付け効果を提供する(図9,10に示す通り)。
【００１０】
図１１に示すように、本考案の第3実施例である、該実施例は上記実施例と最も相違個所は『つなぎ合わせ部』の空間形態の設計のみにある、故に、同じ構造、部品の名称・記号は合わせて用いられ、該実施例は相違個所についてのみ更に踏み込んで説明する：
該実施例のつなぎ合わせ部（１２a）は上下に揺れ動く設計を用いられ、ハンドル端の両側に延長した対称形状の翼部(４１)、つなぎ合わせ部（１２a）の底端には両翼部の間の空間に合わせ枢接台(４２)が延長され、更に軸(４３)を通して、横方向に貫通接続、該つなぎ合わせ部（１２a）は可動スパナヘッドの接続周り回転のほか、つなぎ合わせ部（１２a）とハンドル部(１０)を通して、上下揺れ動く方式の取り外しがきく接続も用いられる、この設計は、スパナ回し間隔の短いネジ部品固定の物体へ締めたり、外したりする時に対し、スパナを回す時そばのネジ部品固定物体の妨げ受けるのを防ぐ為に、該つなぎ合わせ部（１２a）の角度上げの調整により、順調にそばのネジ部品固定物件を避けて、締め外し作業が出来る。
【００１１】
上記は、本考案を解釈する為の良い実施例のみに用いられ、本考案に対し、如何なる形式上の制限を企てるものではない、同じ考案精神の元で創作された
本考案に関する如何なるアレンジ或いは変更であれば、例：Ｃ字形位置付けパーツと動くスパナヘッドの延長部のリング凹形溝部との接続方法は取らず、可動スパナヘッドの延長部に、つなぎ口部のリング溝のリング凸状位置付け部品にあわせ、直接凸状部分を設けられた実施方法に改めたものは、やはり本考案の目的の保護範疇に含むべきである。
【図面の簡単な説明】
【００１２】
【図１】本考案の構造の分解説明図である。
【図２】本考案の外観説明図である。
【図３】本考案の各種異なる形状の可動スパナヘッドの接続実施例図である。
【図４】本考案の各種異なる形状の可動スパナヘッドの接続実施例図である。
【図５】本考案の各種異なる形状の可動スパナヘッドの接続実施例図である。
【図６】本考案の可動スパナヘッドの回転状態説明図である。
【図７】本考案の可動スパナヘッドの回転状態説明図である。
【図８】本考案の第２実施例の構造分解説明図である。
【図９】図８可動スパナヘッドの回転過程の断面図である。
【図１０】図８可動スパナヘッドの回転過程の断面図である。
【図１１】本考案の第３実施例の構造分解説明図である。
【図１２】異なる形態の公知のスパナの外観説明図である。
【図１３】異なる形態の公知のスパナの外観説明図である。
【図１４】異なる形態の公知のスパナの外観説明図である。
【符号の説明】
【００１３】
１      スパナ本体                  
１０    ハンドル部
１２    つなぎ合わせ部              
１２a    つなぎ合わせ部
１２３  つなぎ口部
１２４  リング凸状溝                
１２４a  リング凸状溝                
１２５  位置付け部品                
１４    可動スパナヘッド
１４a   両方向左右回し可動スパナヘッド
１４b   閉じ式片方向回し可動スパナヘッド
１４c   取り外しのきくスパナヘッド
１４１  延長部                      
１４２  リング凹状溝
２１    位置付け穴                  
３１    スプリング
３２    スチール・ボール            
４１    翼部
４２    枢接台                      
４３    軸
９０    スパナ本体                  
９１    ハンドル部
９２    可動スパナヘッド
【図１】
0003116450.tif 000003
【図２】
0003116450.tif 000004
【図３】
0003116450.tif 000005
【図４】
0003116450.tif 000006
【図５】
0003116450.tif 000007
【図６】
0003116450.tif 000008
【図７】
0003116450.tif 000009
【図８】
0003116450.tif 000010
【図９】
0003116450.tif 000011
【図１０】
0003116450.tif 000012
【図１１】
0003116450.tif 000013
【図１２】
0003116450.tif 000014
【図１３】
0003116450.tif 000015
【図１４】
0003116450.tif 000016